(57)【要約】      （修正有）【課題】ライトに反射する塗膜層と図形を組み合わせて形成した装飾部を蓋板や大マチ部に形成するランドセルを提供する。【解決手段】主収容室３と副収容室６と蓋板７と背負いベルト８とからなるランドセル１において、主収容室３の大マチ部４や蓋板７を構成する合成皮革材または人工皮革材からなる表面シート地５の任意個所に、光を反射する反射部分を有した反射図形部１２と、該反射図形部に重なり合わせて一つの装飾模様を形成する圧着図形部１６とからなる装飾部１０を少なくとも１以上設けてなることを特徴とする。【選択図】図１
0003198747.tif 000002
【実用新案登録請求の範囲】
【請求項１】
主収容室（３）と副収容室（６）と蓋板（７）と背負いベルト（８）とからなるランドセル（１）において、前記主収容室（３）の大マチ部（４）や蓋板（７）を構成する合成皮革材または人工皮革材からなる表面シート地（５）の任意個所に、光を反射して劣化しにくい形状の装飾部（１０）を少なくとも１以上設けてなることを特徴とするランドセル。
【請求項２】
前記装飾部（１０）は、光を反射する反射図形部（１２）と、該反射図形部で形成した図形と重なり合わせて一つの装飾図形となる圧着図形部（１６）とからなることを特徴とする請求項１記載のランドセル。
【請求項３】
前記反射図形部（１２）は、再帰反射性カラー塗料を前記表面シート地５にスクリーン印刷により塗布してなることを特徴とする請求項１または２記載のランドセル。
【請求項４】
前記圧着図形部（１６）は、前記反射図形部（１２）で形成した図形に重ねて一つの図形となる形状を、前記表面シート地（５）にプレス機で加熱圧着して立体的に形成してなることを特徴とする請求項１または２記載のランドセル。
【請求項５】
前記表面シート地（５）に塗布した反射図形部（１２）は、圧着図形部（１６）で立体的に形成した凸状または凹状部分に合致させて形成したことを特徴する請求項３または４記載のランドセル。
【請求項６】
前記装飾部（１０）は、学童の注意を喚起する斬新な各種紋章、花柄、動物柄、幾何学模様または漫画・アニメのキャラクター図形などからなることを特徴とする請求項１または２記載のランドセル。
【考案の詳細な説明】
【技術分野】
【０００１】
本考案は、学童用ランドセルの改良に関する。
【背景技術】
【０００２】
従来、学童が背負うランドセルは、教科書やノートなどの大きなものを収容する主収容室と、計算用具などの各種教材を収容する副収容室と、給食費や教材費などのお金や大切なものを収容する開口部にジッパーを取付けて開閉可能に形成した前段ポケットからなるランドセル本体と、前記ランドセル本体を覆う蓋板と、前記ランドセル本体を背負う背負いベルトにより構成されている。また、ランドセルの色は男子用のランドセルが黒または紺、女子用は赤またはピンクなどの単一色で形成されているものが一般的である。
【０００３】
しかし、昨今は、ランドセルのファッション性を向上させて高級感と学童のランドセルへの関心を高めるためにランドセルの色を多様化すると共に、学童のランドセルの購買意欲を増進させるために、ランドセルの蓋板や大マチ部に動物や人形または各種の図形からなる装飾を施して差別化した数多くのランドセルが提供されている。（特許文献１、２参照）。
【０００４】
さらには、ランドセルのかぶせ板の周縁や下部に反射板を取付けて夕暮れ時や夜間に自転車や自動車のライトに反射させて学童を交通事故から防止するものも知られている（特許文献３参照）。
【先行技術文献】
【特許文献】
【０００５】
【特許文献１】実用新案登録第３１４９０９１号公報
【特許文献２】実開平０４−６６９１６号公報
【特許文献３】実用新案登録第３０１０３１３号公報
【０００６】
しかし、特許文献１、２は、ランドセルの蓋板や大マチ部に施されている装飾模様は、印刷や刺繍などによって加工されている。蓋板の表面に印刷した場合、時間の経過とともに模様が擦れて薄くなり一部が剥げたりしやすく装飾模様が長持ちしないのでランドセルがみすぼらしくなる。また、刺繍の場合は、時間の経過と共に刺繍部分が擦り切れたり、色が劣化することにより、やはりランドセルがみすぼらしくなりやすい。そのため、学童がランドセルに愛着を感じて楽しむことができないという問題点を有している。
【考案の概要】
【考案が解決しようとする課題】
【０００７】
そこで、本考案は、ランドセルの蓋板や主収容室の両側大マチ部を構成する表面シート地に、経年変化により劣化しにくい装飾模様を施すことにより、他のランドセルとの差別化を図り、さらに前記装飾模様を車両のライトで効率よく反射する反射材を用いて形成することにより、下校時の学童を交通事故から守り、且つ、学童がいつまでも愛着をもって大切にして楽しんでもらうことができるランドセルを提供することを目的とする。
【課題を解決するための手段】
【０００８】
上記課題を達成するための手段として、主収容室３と副収容室６と蓋板７と背負いベルト８とからなるランドセル１において、前記主収容室３の大マチ部４や蓋板７を構成する合成皮革材または人工皮革材からなる表面シート地５の任意個所に、光を反射して劣化しにくい形状の装飾部１０を少なくとも１以上設けてなることを特徴とする。また、前記装飾部１０は、光を反射する反射図形部１２と、該反射図形部で形成した図形と重なり合わせて一つの装飾図形となる圧着図形部１６とからなることを特徴とする。さらに、前記反射図形部１２は、再帰反射性カラー塗料を前記表面シート地５にスクリーン印刷により塗布してなることを特徴とする。さらにはまた、前記圧着図形部１６は、前記反射図形部１２で形成した図形に重ねて一つの図形となる形状を、前記表面シート地５にプレス機で加熱圧着することにより立体的な図形を形成してなることを特徴とする。また、前記表面シート地５に塗布した反射図形部１２は、圧着図形部１６で立体的に形成した凸状または凹状部分に合致させて形成したことを特徴する。さらに、前記装飾部１０は、学童の注意を喚起する各種紋章、花柄、動物柄、幾何学模様または漫画・アニメのキャラクター図形などからなることを特徴とする。
【０００９】
したがって、ランドセル本体２の主収容室３を構成する両側大マチ部４や蓋板７の表面に装飾部１０を立体的に形成したことにより、ランドセル１に対する学童の興味を喚起し、ランドセル１の購買意欲を増進させることができる。また、装飾部１０は、表面シート地５を加熱圧着して形成してあるため長期間使用しても経年変化により劣化する恐れがなく、学童が愛着をもって長期間使用することができる。さらに、両側大マチ部４や蓋板７の表面に設けた装飾部１０に反射材を使用して形成したことにより、日が暮れるのが早い冬期の下校時に装飾部１０が自転車や自動車のライトに反射することにより、学童を交通事故から守ることができる。
【図面の簡単な説明】
【００１０】
【図１】本考案にかかるランドセルの斜視図である。
【図２】ランドセルの蓋板に装飾部を設けた状態を示す正面図である。
【図３】装飾部を構成する反射図形部の拡大正面図である。
【図４】図３のＡ―Ａ線断面図である。
【図５】加熱圧着して形成した圧着図形部の凸状部分に反射図形部を設けて装飾部を形成した状態の断面図である。
【図６】加熱圧着して形成した圧着図形部の凹状部分に反射図形部を設けて装飾部を形成した状態の断面図である。
【図７】反射図形部の要部拡大断面図である。
【考案を実施するための形態】
【００１１】
本考案の実施の形態を図面に基づいて説明すると、図１は本考案にかかるランドセルの斜視図、図２はランドセルの蓋板に装飾部を設けた状態を示す正面図、図３は装飾部を構成する反射図形部の拡大正面図、図４は図３のＡ―Ａ線断面図、図５は反射図形部の上から圧着図形部を加熱圧着して凸状部分に装飾部を形成した状態の断面図、図６は反射図形部の上から圧着図形部を加熱圧着して凹状部分に装飾部を形成した状態の断面図、図７は反射図形部の要部拡大断面図である。ランドセル１は、人工皮革・合成皮革などによりランドセル本体２を構成し、該ランドセル本体に被せる蓋板７と、ランドセルを背負う背負ベルト８を取付けて構成されている。
【００１２】
前記ランドセル本体２は、教科書やノートなどの大きなものを収容する主収容室３と、計算用具などの各種教材を収容する副収容室６と、給食費や教材費などのお金や大切なものを収容する開口部にジッパーを取付けて開閉可能に形成した前ポケット（図示せず）により構成されている。
【００１３】
前記ランドセル本体２の表面シート地５は、軽量で強度性と屈曲性を有する不織布の表面にポリウレタン樹脂材をコーティングしてなる公知の人工皮革で、例えば、株式会社クラレが製造販売する商品名「クラリーノ」（登録商標）、株式会社帝人コードレが製造販売する商品名「コードレ」（登録商標）または株式会社クラレが製造販売する商品名「アマレッタ」（登録商標）などを使用することが望ましい。
【００１４】
ランドセル１を構成する大マチ部４の表面や、蓋板７の表面に設けた装飾部１０は、図１に示すごとく、ランドセルを使用する学童の興味を喚起し、ランドセルの購買意欲を増進させることができる図形、例えば、各種紋章や花柄、動物柄、幾何学模様または漫画・アニメのキャラクター図形などをランドセルのカラーに合わせて形成する。
【００１５】
装飾部１０は、図２に示すごとく、その形状の全部または一部を光に反射する反射材で形成した反射図形部１２と、該反射図形部と重合させて一つの模様を形成するための圧着図形部１６とを組み合わせて形成してある。前記反射図形部２に使用する反射材は、公知の反射材を使用し、例えば、蛍光塗料、夜光塗料または再帰反射塗料などを使用する。
【００１６】
しかし、前記蛍光塗料は、夜間にライトを当てたとき反射効率が弱く目立たない。夜光塗料は、経年変化により反射効率が落ちだんだん暗くなり長期間使用することができないことから、好ましくは、再帰反射性塗料を使用する。この再帰反射性塗料は、図７に示すごとく、塗料に含まれている微小なガラスビーズ２１の背面側に反射材２３が位置し、入射してきた光をビーズによる屈折と反射材により鏡面反射することにより、入射してきた方向に光が反射するため、反射効率が良く遠くからでも視認することが可能である。
【００１７】
この再帰反射性塗料は、図７に示すごとく、例えば、公知の合成樹脂系エマルジョンまたは合成樹脂系ホットメルト接着剤などからな溶剤２０内に、粒径８０〜１１０μｍで屈折率が１、９〜２、３のガラスビーズ２１と、粒径は１５〜２５μｍの雲母などからなる反射材２３と、任意色素を一緒に攪拌して形成してある。溶剤２０に混入する色素は、顔料または染料が使用され、この色素を混入することにより、色素が反射材に鏡面に付着して有彩色を帯びた任意のカラー再帰反射光が得られる。
【００１８】
この反射図形部１２を表面シート地５に塗布する方法は、図４に示すごとく、図柄の一部または全部をスクリーン印刷、グラビア印刷またはコーティング印刷など公知の印刷方法により塗布する。印刷の手間または作業性などからシルクスクリーン印刷による塗布が好ましい。表面シート地５に反射図形部１２を塗布した後、反射図形部１２を加熱乾燥または自然乾燥させることにより接着させる。
【００１９】
前記圧着図形部１６は、前記反射図形部１２の図柄と組み合わせて一つの図柄になるように形成した金型を反射図形部１２の上から重ねて表面シート地５を加熱圧着して凹凸模様を立体的に形成する。前記加熱圧着加工は、公知の高周波による誘電加熱加工、好ましくは、高周波ウエルダー加工などにより行う。したがって、前記表面シート地５の表面をプレス機で加熱圧着して形成した凹凸模様の装飾部１０は、ランドセル１を長期間使用しても反射図形部１２と凹凸模様の圧着図形部１６は劣化することなく現状を維持することができる。
【００２０】
前記表面シート地５に塗布した反射図形部１２は、図５に示すごとく、圧着図形部１６で形成した凹凸模様の凸状部分と合致させることにより、表面シート地５の表面側に膨出した状態に浮き上がらせて見せることができる。さらには、図６に示すごとく、圧着図形部１６の凹状部分と反射図形部１２を合致させて形成することもでき、且つ、凹凸模様の両方または任意凹凸部分にカラーの相違する反射図形部１２と合致させて形成することにより、バリエーションに富んだ図柄を形成することができる。
【００２１】
前記表面シート地５の表面に形成する装飾部１０の図形は、学童の注意を喚起する各種紋章や花柄、動物柄、幾何学模様または漫画・アニメのキャラクター図形などを形成することにより、消費者の需要を喚起することができる。
【００２２】
この装飾部１０を構成する図形の重ね合わせは、版画と同じ技術で、基準点（図示せず）を合わせて版を重ねることにより、図柄がズレることなく形成することができる。さらには、反射図形部１２は、シルクスクリーン印刷により塗布することから、ランドセルの種類または形状などにより、その用途に合わせた多色刷りが可能であることから多種多様な形状に形成することができる。
【００２３】
前記装飾部１０を構成する反射図形部１２は、自動車のライトや街灯の光に反射する再帰反射性塗料を使用したことにより、薄暗くなる冬期の下校時でも車の光や街灯の光で反射図形部１２が効率よく反射して歩行中の学童をいち早く認識させることができるので、交通事故を未然に防止することができ安心して下校することができる。
【００２４】
以下、本考案の実施の形態の作用について説明すると、ランドセル１を構成する主収容室３の両側大マチ部４や蓋板７を構成する表面シート地５にそれぞれ任意形状の装飾部１０を設けたことにより、学童のランドセルに対する興味を喚起し、ランドセル１の購買意欲を増進させることができる。
【００２５】
この装飾部１０は、表面シート地５の任意個所に再帰反射性塗料からなる反射図形部１２をシルクスクリーン印刷により塗布した後、該反反射図形部の上面に公知の高周波による誘電加熱加工により加熱圧着して反射図形部１２を凹凸模様の凸状部分または凹状部分さらには凹凸両方の任意個所と一致させて一体で立体的に形成することができる。
【００２６】
前記装飾部１０は、反射図形部１２の図形と、圧着図形部１６とを別版で形成するため、反射図形部１２に重ねる圧着図形部１６との絵柄がズレるおそれがある。そのため、装飾部１０に設けた基準点（図示せず）を設け、該基準点合わせることにより、表面シート地５に塗布した反射図形部１２を表面側に膨出した状態の立体的な形状に浮き上がらせて見せることができる。さらには、圧着図形部１６で形成した凹部と反射図形部１２を合致させて形成することもできる。
【００２７】
したがって、装飾部１０を立体的に表現することができるので、装飾部１０の図形に迫力が増して学童のランドセルに対する興味を惹き、ランドセル１の購買意欲を増進させることができる。
【００２８】
ランドセル１の大マチ部４または蓋板７に設けた装飾部１０は、反射図形部１２に再帰反射性塗料を使用したことにより、夕暮れが早い冬期に自動車のライトや街灯の光に反射するため、下校中の学童を遠くから認識させることができるので、下校時の交通事故を未然に防止することができる。
【００２９】
前記装飾部１０は、表面シート地５に各種図柄、例えば、漫画やアニメのキャラクターや草木や花などの図柄を形成することにより、装飾部１０のバリエーションを広げて多様化を図ることができ、且つ、学童がランドセルに対する興味を示してランドセルの購買意欲を増進させることができる。
【符号の説明】
【００３０】
１      ランドセル
２      ランドセル本体
３      主収容室
４      大マチ部
５      表面シート地
６      副収容室
７      蓋板
８      背負いベルト
１０    装飾部
１２    反射図形部
１６    圧着図形部
２０    接着用溶剤
２１    ガラスビーズ
２３    反射材
【図１】
0003198747.tif 000003
【図２】
0003198747.tif 000004
【図３】
0003198747.tif 000005
【図４】
0003198747.tif 000006
【図５】
0003198747.tif 000007
【図６】
0003198747.tif 000008
【図７】
0003198747.tif 000009
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
主収容室（３）と副収容室（６）と蓋板（７）と背負いベルト（８）とからなるランドセル（１）において、前記主収容室（３）の大マチ部（４）や蓋板（７）を構成する合成皮革材または人工皮革材からなる表面シート地（５）の任意個所に、反射図形部（１２）と、該反射図形部に重合させて装飾図形となる圧縮図形部（１６）を有してなる装飾部（１０）を少なくとも１以上設けてなることを特徴とするランドセル。
【請求項２】
前記反射図形部（１２）は、再帰反射性カラー塗料を前記表面シート地（５）にスクリーン印刷により塗布してなることを特徴とする請求項１記載のランドセル。
【請求項３】
前記圧着図形部（１６）は、前記反射図形部（１２）で形成した図形に重ねて一つの図形となる形状を、前記表面シート地（５）にプレス機で加熱圧着して立体的に形成してなることを特徴とする請求項１記載のランドセル。
【請求項４】
前記反射図形部（１２）は、圧着図形部（１６）で立体的に形成した凸状または凹状部分に合致させて形成したことを特徴する請求項１または２記載のランドセル。
【請求項５】
前記装飾部（１０）は、紋章、花柄、動物柄、幾何学模様または漫画・アニメのキャラクター図形からなることを特徴とする請求項１記載のランドセル。
以上